(57)【要約】【課題】本体ケースが取り付け位置（取付孔）に固定される照明器具のメンテナンス作業を容易に行うことができる照明器具を提供することを課題とする。【解決手段】取り付け位置（取付孔Ｈ）に固定される本体ケース１０と、ＬＥＤモジュール１２（光源）と反射板３３と支持部材３１とを備える光源ユニット３０と、を備え、光源ユニット３０は、ＬＥＤモジュール１２および反射板３３が支持部材３１に固定されて、本体ケース１０に着脱可能に取り付けられる、照明器具１とする。【選択図】図２
2015076335.tif 000002
【特許請求の範囲】
【請求項１】
取り付け位置に固定される本体ケースと、
光源と反射板と支持部材とを備える光源ユニットと、
を備え、
前記光源ユニットは、前記光源および前記反射板が前記支持部材に固定されて、前記本体ケースに着脱可能に取り付けられる、
照明器具。
【請求項２】
前記光源に給電を行う電源ユニットを備え、
前記電源ユニットは、前記本体ケースの内面に固定され、前記本体ケース内における少なくとも一部が前記光源ユニットに対向する位置に配置される、
請求項１に記載の照明器具。
【請求項３】
前記電源ユニットは、前記光源との間に間隙を有する、
請求項１または請求項２に記載の照明器具。
【請求項４】
前記光源は、発光素子と、前記発光素子が実装された基板とを備え、
前記基板は、前記支持部材に固定手段で固定され、
前記反射板は、前記支持部材に固定手段で固定される、
請求項１から請求項３のいずれか一項に記載の照明器具。
【請求項５】
前記基板は、前記発光素子が実装された面の裏面が、前記支持部材に接している、
請求項４記載の照明器具。
【請求項６】
前記光源は、発光素子と、前記発光素子が実装された基板とを備え、
前記反射板は、前記発光素子の周囲に配置され、複数の反射板で構成され、
複数個の連結部材を備え、
前記連結部材は、前記複数の反射板のうちの隣り合う反射板の間に配置され、前記隣り合う反射板に連結される、
請求項１から請求項５のいずれか一項に記載の照明器具。
【請求項７】
連結部材は、少なくとも一部に光反射面を有し、
前記反射板及び前記連結部材は、それらの光反射面が前記発光素子の光放射空間に対向する位置に配置される、
請求項６記載の照明器具。
【発明の詳細な説明】
【技術分野】
【０００１】
本発明は、照明器具の技術に関する。
【背景技術】
【０００２】
従来、天井等の取付面の取付孔に一部が埋め込まれて配置された状態で使用される埋込型の照明器具に関する技術は種々知られている。
【０００３】
埋込型の照明器具としては、例えば、本体シャーシと、発光モジュール（光源）と、反射板と、を備えるものが公知となっている（特許文献１参照）。
【先行技術文献】
【特許文献】
【０００４】
【特許文献１】特開２０１２−１８６０９５号公報
【発明の概要】
【発明が解決しようとする課題】
【０００５】
ここで、前記照明器具では、本体シャーシが、取付孔に埋め込まれて配置された状態で取付孔（照明器具の取り付け位置）に固定され、照明器具のメンテナンス作業を行うときのために、光源と反射板とが本体シャーシに着脱可能に取り付けられる。もっとも、前記照明器具では、光源と反射板とが、それぞれ個別に本体シャーシに取り付けられる。このため、光源と反射板とを本体シャーシから取り外す場合、反射板を本体シャーシから取り外す作業と、光源を本体シャーシから取り外す作業とが必要であり、照明器具のメンテナンス作業が煩雑なものとなっていた。また、光源と反射板とを本体シャーシに取り付ける場合も、同様の作業が必要であった。
【０００６】
本発明は以上の如き状況に鑑みてなされたものであり、照明器具のメンテナンス作業を容易に行うことができる照明器具を提供することを課題とする。
【課題を解決するための手段】
【０００７】
本発明の解決しようとする課題は以上の如くであり、次にこの課題を解決するための手段を説明する。
【０００８】
即ち、本願に開示する照明器具は、取り付け位置に固定される本体ケースと、光源と反射板と支持部材とを備える光源ユニットと、を備え、前記光源ユニットは、前記光源および前記反射板が前記支持部材に固定されて、前記本体ケースに着脱可能に取り付けられるとしたものである。
【０００９】
本願に開示する照明器具は、上記構成を基本として、以下のような態様をとることができる。
本願に開示する照明器具においては、前記光源に給電を行う電源ユニットを備え、前記電源ユニットは、前記本体ケースの内面に固定され、前記本体ケース内における少なくとも一部が前記光源ユニットに対向する位置に配置される構成とすることが好ましい。
【００１０】
本願に開示する照明器具においては、前記電源ユニットは、前記光源との間に間隙を有する構成とすることが好ましい。
【００１１】
本願に開示する照明器具においては、前記光源は、発光素子と前記発光素子が実装された基板とを備え、前記基板は、前記支持部材に固定手段で固定され、前記反射板は、前記支持部材に固定手段で固定される構成とすることが好ましい。
【００１２】
本願に開示する照明器具においては、前記基板は、前記発光素子が実装された面の裏面が、前記支持部材に接している構成とすることが好ましい。
【００１３】
本願に開示する照明器具においては、前記光源は、発光素子と、前記発光素子が実装された基板とを備え、前記反射板は、前記発光素子の周囲に配置され、複数の反射板で構成され、複数個の連結部材を備え、前記連結部材は、前記複数の反射板のうちの隣り合う反射板の間に配置され、前記隣り合う反射板に連結される構成とすることが好ましい。
【００１４】
本願に開示する照明器具においては、前記反射板及び前記連結部材は、それらの光反射面が前記発光素子の光放射空間に対向する位置に配置される構成とすることが好ましい。
【発明の効果】
【００１５】
本発明によれば、照明器具のメンテナンス作業を容易に行うことができる。
【図面の簡単な説明】
【００１６】
【図１】本発明の実施形態に係る照明器具を示す斜視図。
【図２】同じく照明器具の図１に示すＡ−Ａ’断面図の部分拡大図。
【図３】同じく照明器具の図４に示すＢ−Ｂ’断面図。
【図４】同じく照明器具を示す側面図。
【図５】同じく照明器具の本体ケースから光源ユニットを取り外した状態を示す側面図。
【図６】同じく照明器具の図１に示すＡ−Ａ’断面図。
【図７】同じく照明器具の図１に示すＡ−Ａ’断面図の部分拡大図。
【図８】同じく照明器具の本体ケースと電源ユニットを示す分解斜視図。
【図９】同じく照明器具の光源ユニットを示す分解斜視図。
【図１０】同じく照明器具の光源ユニットを示す拡大斜視図。
【図１１】同じく照明器具の光源ユニットを示す拡大斜視図。
【発明を実施するための形態】
【００１７】
図１から図１１に記載の照明器具１について説明する。
図１または図２に示すように、照明器具１は、埋込型の照明器具１であり、オフィスの天井等の取付面の取付孔Ｈに一部が埋め込まれて配置された状態で使用される。照明器具１は、四角形の出光面１ａを備える。照明器具１は、出光面１ａが取付孔Ｈの外側に露出して配置される。
なお以下において、照明器具１が取付孔Ｈに配置された状態において、取付面に対して鉛直方向を照明器具１の上下方向として、照明器具１の光の照射方向を照明器具１の下方、その反対側を照明器具１の上方とし、照明器具１の上下方向に対して垂直方向を照明器具１の側方として説明する。また以下において、図中に示す矢印Ｘは、照明器具１の光の照射方向を示すものとして説明する。また以下において、図３については、照明器具１を上方から視たものを示すものとして説明する。
【００１８】
図１乃至図９に示すように、照明器具１は、本体ケース１０と、電源ユニット２０と、光源ユニット３０と、を備える。
【００１９】
本体ケース１０は、天板１１と四個の側板１２とを備える。本体ケース１０は、開口側を下方に向けて天井等に配置される。本体ケース１０は、その一部が取付孔Ｈに埋め込まれて、天井裏の内装に予め施工されているボルトにナットを用いて固定される。
【００２０】
本体ケース１０は、互いに対向する２個の側板１２にそれぞれ、一対の爪部１３を複数組備える。爪部１３は、側板１２の内面に配置される。一対の爪部１３は、側板１２から互いに向き合うように突出する。
【００２１】
電源ユニット２０は、電源回路（図６においては不図示）がケース内に配置されて構成され、ＬＥＤモジュール３２に給電を行いＬＥＤモジュール３２のＬＥＤを点灯させる。電源ユニット２０は、少なくとも２種類の電線が接続されている。２種類の電線のうち一方の電線は、ＬＥＤモジュール３２に接続されている。２種類の電線のうち他方の電線は、端子台に接続されている。端子台は、本体ケース１０の内面に配置されている。端子台には、外部電源に接続された電源が接続されている。これにより、電源ユニット２０は、照明器具１を取付孔Ｈに配置した状態で、電線及び端子台を介して外部電源と電気的に接続される。
【００２２】
光源ユニット３０は、本体ケース１０に着脱可能に取り付けられる。光源ユニット３０は、支持部材３１と、ＬＥＤモジュール３２（光源の一例）と、複数個（本実施の形態では四個）の反射板３３と、拡散板３４と、枠部材３５と、複数個の取付部材３６と、を備える。
【００２３】
支持部材３１は、ＬＥＤモジュール３２と、反射板３３と、拡散板３４と、を支持する。支持部材３１は、例えば金属素材で構成され、比較的熱伝導性が高くなるように構成されることが好ましい。支持部材３１は、図５などに示すように平板状の部材（金属板）であり、図３に示すように下方から見て略正方形に形成される。支持部財３１は、下面に、ＬＥＤモジュール３２を固定するネジを螺合させるための孔と、反射板３３を固定するネジを螺合させるための孔とを有する。
【００２４】
ＬＥＤモジュール３２は、発光素子３２ａと、発光素子３２ａが実装される基板３２ｂ（回路基板）と、を備える。ＬＥＤモジュール３２は、発光素子３２ａであるＬＥＤ（発光ダイオード）が基板３２ｂの下面に実装されて、照明器具１の光源として構成される。ＬＥＤモジュール３２の基板３２ｂには、ネジを通すことができる貫通孔を有する。ＬＥＤモジュール３２（基板３２ｂ）は、支持部材３１にネジ（固定手段）で固定される。なお、ＬＥＤモジュール３２を支持部材３１に固定する固定手段は、ネジに限らず、ボルトおよびナット、接着剤、接着材、または、係合機構（例えば爪係合）等であってもよい。ＬＥＤモジュール３２は、支持部材３１の下面に配置される。本実施の形態では、一例として、回路基板の表面にＬＥＤを実装したＳＭＤ（ｓｕｒｆａｃｅ  ｍｏｕｎｔ  ｄｅｖｉｃｅ）タイプのＬＥＤモジュール３２を採用した。なお、本実施の形態では、光源の一例としてＳＭＤタイプのＬＥＤを採用したが、ＣＯＢ（ｃｈｉｐ  ｏｎ  ｂｏａｒｄ）タイプのＬＥＤや、有機ＥＬ素子などを用いても良い。また、光源は、回路基板にＬＥＤを実装したＬＥＤモジュール３２に限らず、ＬＥＤ単体や、ＬＥＤを用いた電球などを含む。
【００２５】
反射板３３は、複数（本実施形態では四個）の反射板３３で構成される。反射板３３は、発光素子３２ａの周囲に配置される。反射板３３は、発光素子３２ａから照射される光を反射する光反射面を備える。反射板３３は、金属素材で構成され、熱伝導性を有する。反射板３３は、平板状の部材を折り曲げ加工して構成される。反射板３３は、上端部３３ａと下端部３３ｂと上下中途部３３ｃと外側部３３ｄとを備える。上端部３３ａは、上下中途部３３ｃの上端から外側に折り曲げられて構成される。下端部３３ｂは、上下中途部３３ｃの下端から外側に折り曲げられて構成される。上下中途部３３ｃは、下方に行くに従って外側に広がるように傾斜して構成される。外側部３３ｄは、下端部３３ｂの外端から上方に折り曲げられて構成される。上端部３３ａと上下中途部３３ｃとで成す角度は、鋭角に構成される。下端部３３ｂと上下中途部３３ｃで成す角度は、鈍角に構成される。下端部３３ｂと外側部３３ｄとで成す角度は、直角に構成される。ここで、下端部３３ｂと外側部３３ｄとで成す角度は、直角に限らず、鈍角や鋭角であってもよい。なお、ここでいう「外側」及び「上方」は、光源ユニット３０に取り付けられた反射板３３における位置や向きを示す。反射板３３は、上下中途部３３ｃを下方に行くに従って外側に広がるように傾斜した姿勢で光源ユニット３０に配置される。上下中途部３３ｃの内側の面は、光反射面として構成される。反射板３３は、上下中途部３３ｃの内側の面（光反射面）が発光素子３２ａの光放射空間に対向する位置に配置される。上端部３３ａには、ネジを通すことができる貫通孔を有する。
【００２６】
反射板３３は、支持部材３１にネジ（固定手段）で固定される。なお、反射板３３を支持部材３１に固定する固定手段は、ネジに限らず、ボルトおよびナット、接着剤、接着シート、または、係合機構（例えば爪係合）等であってもよい。反射板３３は、支持部材３１の下方に配置される。反射板３３は、支持部材３１の下面から下方にそれぞれ突出する。反射板３３は、支持部材３１の四辺に沿ってそれぞれ配置される。上端部３３ａは、支持部材３１に固定される。
【００２７】
拡散板３４は、ＬＥＤモジュール３２のＬＥＤから照射される光を拡散する。拡散板３４は、平板状の部材であり、下方から視て略正方形に形成される。拡散板３４は、アクリル素材で構成される。拡散板３４は、微細な凹凸を表面に形成したシボ加工（フロスト加工）を施したもの、あるいは、内部に散乱剤を混入させたもので構成される。なお、シボ加工や散乱剤混入などの光拡散処理は、出光面１ａの全域に施されていてもよいし、ＬＥＤに対向する部分などのように一部にのみ施されていてもよい。また、拡散板３４の形状（略正方形）は一例であって、長方形や円形など他の形状であってもよい。
【００２８】
拡散板３４は、反射板３３の下方に配置される。拡散板３４は、枠部材３５の上方に配置される。拡散板３４は、反射板３３と枠部材３５との間に挟まれるように配置され、枠部材３５によって下方から支持される。拡散板３４の下面（下面における縁以外の部分）は、照明器具１が取付孔Ｈに取付けられた状態で、取付孔Ｈの外側に露出する。拡散板３４の下面における取付孔Ｈの外側に露出する部分は、照明器具１の出光面１ａとして構成される。
【００２９】
枠部材３５は、下方から視て略正方形の枠状の部材であり、一部において出光面１ａを囲む。枠部材３５は、例えば金属素材で構成され、比較的熱伝導性が高くなるように構成されることが好ましい。図７に示すように、枠部材３５は、平板状の部材を折り曲げ加工して構成される。枠部材３５は、上部３５ａと、内折れ部３５ｂと、外折れ部３５ｃと、を備える。上部３５ａは、内折れ部３５ｂから上方に延出するように構成される。内折れ部３５ｂは、上部３５ａの下端から内側に折り曲げられて構成される。外折れ部３５ｃ部は、内折れ部３５ｂの内端から外側に折り曲げられ、さらに外側端部が上方に折り曲げられて構成される。
なお、枠部材３５の形状（略正方形）は一例であって、長方形や円形など他の形状であってもよい。
【００３０】
枠部材３５は、反射板３３にネジ（固定手段）で固定される。なお、枠部材３５を反射板３３に固定する固定手段は、ネジに限らず、ボルトおよびナット、接着剤、接着シート、または、係合機構（例えば爪係合）等であってもよい。枠部材３５を反射板３３に固定するものであってもよい。上部３５ａは、下端部３３ｂ、外側部３３ｄおよび拡散板３４の外側に配置される。上部３５ａは、外側部３３ｄに固定される。内折れ部３５ｂは、拡散板３４の下方に配置される。内折れ部３５ｂは、拡散板３４の下面縁部に当接して、拡散板３４を下方から支持する。外折れ部３５ｃは、照明器具１が取付孔Ｈに取り付けられた状態で取付孔Ｈからの外側に露出する。外折れ部３５ｃは、出光面１ａを囲む。枠部材３５は、平板状の部材をプレス成形することによって、上部３５ａと内折れ部３５ｂと外折れ部３５ｃとを連接して構成する。このため、上部３５ａと内折れ部３５ｂと外折れ部３５ｃとがそれぞれ別々の部材とされるものに比べて、部品点数を削減することができる。
【００３１】
取付部材３６は、金属素材で構成される線状の部材を略Ω字状に形成される。取付部材３６は、上部３５ａの外面に設けられる。取付部材３６の最大横幅の長さは、爪部１３間（爪部１３における本体ケース１０に取り付けられている部分の間）の距離よりも長い。
取付部材３６は、弾性を有するため、外部から押圧力を加えることによってその最大横幅が小さくなるように変形し、外部からの押圧力の印加が無くなると元の形状に戻る。取付部材３６は、弾性力に抗って爪部１３間に挿入していくことによって、爪部１３に引っ掛けられる。取付部材３６は、横幅の長さが爪部１３間の距離よりも短い部分まで爪部１３間に挿入されることによって、爪部１３に引っ掛けられた状態が保持される。取付部材３６は、弾性力に抗って爪部１３間から取付部材３６を引き抜くことにより、爪部１３に引っ掛けられた状態がから解放される。
【００３２】
本実施の形態の光源ユニット３０は、支持部材３１にＬＥＤモジュール３２と反射板３３とが支持部材３１に固定手段で固定され、枠部材３５が固定手段で反射板３３に固定され、拡散板３４が反射板３３と枠部材３５との間に挟まれて配置され枠部材３５によって下方から支持されて、支持部材３１とＬＥＤモジュール３２と反射板３３と拡散板３４と枠部材３５とが一体的に構成される。光源ユニット３０は、本体ケース１０に取り付けられる際、支持部材３１とＬＥＤモジュール３２と反射板３３と拡散板３４と枠部材３５とが一体となって取り付けられる。光源ユニット３０は、支持部材３１、ＬＥＤモジュール３２、反射板３３、上部３５ａ、および、取付部材３６を、側板１２の内側に配置した状態で、取付部材３６を爪部１３に引っ掛けることによって、本体ケース１０に取り付けられる。一方、光源ユニット３０は、本体ケース１０から取り外される際、支持部材３１とＬＥＤモジュール３２と反射板３３と拡散板３４と枠部材３５とが一体となって本体ケース１０から取り外される。光源ユニット３０は、取付部材３６を爪部１３から取り外すことによって、本体ケース１０から取り外すことができる。
ここで、前記「支持部材３１とＬＥＤモジュール３２と反射板３３と拡散板３４と枠部材３５とが一体」とは、支持部材３１とＬＥＤモジュール３２と反射板３３と拡散板３４と枠部材３５とが互いに結合し、一つの構成単位としてまとまった状態を示す。
【００３３】
以上のように、本実施の形態の照明器具１の取り付け位置（取付孔Ｈ）に固定される本体ケース１０と、ＬＥＤモジュール３２（光源）と反射板３３と支持部材３１とを備える光源ユニット３０と、を備え、光源ユニット３０が、ＬＥＤモジュール３２および反射板３３が支持部材３１に固定されて、本体ケース１０に着脱可能に取り付けられる。このため、照明器具１では、光源ユニット３０を本体ケース１０から取り外すことによって、ＬＥＤモジュール３２と反射板３３とを本体ケース１０から同時に取り外すことができ、また、光源ユニット３０を本体ケース１０に取り付けることによって、ＬＥＤモジュール３２と反射板３３とを本体ケース１０に同時に取り付けることができる。よって、照明器具１では、ＬＥＤモジュール３２と反射板３３とがそれぞれ個別に本体ケース１０に取り付けられるものに比べて、ＬＥＤモジュール３２と反射板３３とを本体ケース１０から取り外す作業を容易に行うことができ、また、ＬＥＤモジュール３２と反射板３３とを本体ケース１０に取り付ける作業を容易に行うことができる。したがって、照明器具１によれば、照明器具１のメンテナンス作業を容易に行うことができる。
【００３４】
また以上のように、ＬＥＤモジュール３２は、発光素子３２ａと基板３２ｂとを備え、基板３２ｂは、支持部材３１に固定手段で固定され、反射板３３は、支持部材３１に固定手段で固定される。このため、照明器具１では、光源ユニット３０を本体ケース１０から取り外すことによって、ＬＥＤモジュール３２と反射板３３とを本体ケース１０から同時に取り外すことができ、また、光源ユニット３０を本体ケース１０に取り付けることによって、ＬＥＤモジュール３２と反射板３３とを本体ケース１０に同時に取り付けることができる。したがって、照明器具１によれば、照明器具１のメンテナンス作業を容易に行うことができる。
【００３５】
ＬＥＤモジュール３２が支持部材３１に固定された状態において、基板３２ｂは、発光素子３２ａが実装された面の裏面（上面）が、支持部材３１に接している。したがって、ＬＥＤモジュール３２から発せられた熱が、支持部材３１に伝わり易くなり、支持部材３１によって効率よく放熱されることとなる。よって、ＬＥＤモジュール３２が高温に達するまで温度上昇してしまうことを防ぎ、ＬＥＤモジュール３２に含まれるＬＥＤの発光効率（光束維持率）の低下を抑えるとともに、ＬＥＤの寿命（累積点灯時間）の短縮化を抑えることができる。
【００３６】
電源ユニット２０は、光源ユニット３０を本体ケース１０から取り外したときに、照明器具１を下方から視て露出する（視認できる）位置に配置される。電源ユニット２０は、本体ケース１０の内面に配置される。電源ユニット２０は、天板１１の下面に固定される。電源ユニット２０は、天板１１の縁部近傍に固定される。
本体ケース１０は、本体ケース１０内における少なくとも一部（例えば、天板１１の内面および側板１２の内面）が電源ユニット３０に対向する位置に配置される。
電源ユニット２０は、ＬＥＤモジュール３２との間に間隙を有して配置される。
【００３７】
以上のように、電源ユニット２０は本体ケース１０の内面に固定され、本体ケース１０内における少なくとも一部が光源ユニット３０に対向する位置に配置される。このため、照明器具１では、光源ユニット３０を本体ケース１０から取り外すことによってＬＥＤモジュール３２と反射板３３とを本体ケース１０から同時に取り外して、電源ユニット２０を露出させることができる。したがって、照明器具１によれば、光源ユニット３０を本体ケース１０から取り外すだけで電源ユニット２０を露出させることができるため、電源ユニット２０のメンテナンス作業を容易に行うことができる。
【００３８】
また以上のように、電源ユニット２０は、ＬＥＤモジュール３２との間に間隙を有することにより、電源ユニット２０をＬＥＤモジュール３２から遠ざけて配置することができる。したがって、電源ユニット２０がＬＥＤモジュール３２からの熱の影響を受けることを低減させることができる。
なお、電源ユニット２０が本体ケース１０に配置される照明器具１では、比較的放熱性の低い安価な素材（例えば、鉄板金（鉄を主たる成分とされる素材の板金））で支持部材３１を構成しても、電源ユニット２０がＬＥＤモジュール３２からの熱の影響を受けることを防止することができる。
【００３９】
反射板３３は、上端部３３ａの上方の面が支持部材３１の下面に当接した状態で支持部材３１に固定される。枠部材３５は、上部３５ａの内側の面が外側部３３ｄの外側の面に当接した状態で反射板３３に固定される。外折れ部３５ｃは、照明器具１が取付孔Ｈに取り付けられた状態で、取付孔Ｈからの外側に露出する。照明器具１では、ＬＥＤモジュール３２から発せられた熱が支持部材３１に伝わり、支持部材３１に伝わった熱が反射板３３に伝わり、反射板３３に伝わった熱が枠部材３５に伝わる。枠部材３５は、ＬＥＤモジュール３２から発せられて支持部材３１と反射板３３とを介して伝わる熱を、外折れ部３５ｃ（枠部材３５の取付孔Ｈから外側に露出する部分）から、取付孔Ｈの外側の空気中に放熱する。
【００４０】
以上のように、枠部材３５が、反射板３３に接続されて、光源から発せられて支持部材３１と反射板３３とを介して伝わる熱を取付孔の外側の空気中に放熱する。したがって、照明器具１によれば、ＬＥＤモジュール３２の温度が上昇することを抑制することができる。よって、ＬＥＤモジュール３２が高温に達するまで温度上昇してしまうことを防ぎ、ＬＥＤモジュール３２に含まれるＬＥＤの発光効率（光束維持率）の低下を抑えるとともに、ＬＥＤの寿命（累積点灯時間）の短縮化を抑えることができる。
【００４１】
照明器具１は、シート部材４０を備える。シート部材４０は、反射板３３と拡散板３４との間の隙間を埋めることで、虫などが照明器具１内に侵入することを防止するものである。なお、シート部材４０は、虫よけ剤が含浸された不織布素材（フェルト）で構成してもよい。シート部材４０は、反射板３３と拡散板３４との間に配置される。シート部材４０の上面は、反射板３３の下端部３３ｂの下面に接着される。シート部材４０の下面は、拡散板３４の上面縁部近傍に当接する。なお、シート部材４０は、不織布素材の他に、織布素材、または、紙素材、または、樹脂素材等で構成することもできる。
【００４２】
このため、シート部材４０が拡散板３４の下面と枠部材３５内折れ部３５ｂとの間に配置されるものでは、シート部材４０の厚み分、拡散板３４よりも下方に内折れ部３５ｂが位置するところ、照明器具１では、シート部材４０の厚さが拡散板３４と枠部材３５の相対位置関係に影響を与えない。
したがって、照明器具１によれば、シート部材４０を備える構成であっても、拡散板３４と枠部材３５との段差を極力小さくすることができ、出光面１ａ周りのフラット感を向上させることができる。
なお、反射板３３と拡散板３４との間の隙間が無く両者が密着している場合、あるいは反射板３３と拡散板３４との間の隙間があったとしても虫などが照明器具１内に侵入できない隙間であった場合は、シート部材４０は省略できる。
【００４３】
図１乃至図９に示すように、光源ユニット３０は、複数個（四個）の連結部材３７を備える。連結部材３７は、複数の反射板３３のうちの隣り合う反射板３３の間に配置され、前記隣り合う反射板に連結される。連結部材３７は、隣り合う二個の反射板３３に連結されて、支持部材３１と拡散板３４との間に反射板３３が配置された姿勢を保持する。連結部材３７は、隣り合う二個の反射板３３の間に配置される。連結部材３７は、支持部材３１の下方に配置される。連結部材３７は、支持部材３１の四隅の近傍にそれぞれ配置される。連結部材３７は、拡散板３４の上方に配置される。連結部材３７は、拡散板３４の四隅の近傍にそれぞれ配置される。
連結部材３７は、上部３５ａの内側に配置される。連結部材３７は、枠部材３５の四隅の近傍にそれぞれ配置される。
【００４４】
連結部材３７は、板状に構成される二個の片部３７ａ・３７ａと、二個の溝部３７ｂ・３７ｂと、を備える。連結部材３７は、二個の片部３７ａ同士が連接されて構成される。二個の片部３７ａのうち一方の片部３７ａは、一方の反射板３３における上下中途部３３ｃに沿って傾斜して構成され、二個の片部３７ａのうち他方の片部３７ａは、他方の反射板３３における上下中途部３３ｃに沿って傾斜して構成される。
【００４５】
溝部３７ｂは、反射板３３における下中途部の側端部を挿入可能に構成される。溝部３７ｂは、片部３７ａにおける反射板３３側の面に形成される。
【００４６】
連結部材３７は、隣り合う二個の反射板３３のうち一方の反射板３３の側端部を二個の溝部３７ｂのうち一方の溝部３７ｂに挿入し、隣り合う二個の反射板３３のうち他方の反射板３３の側端部を二個の溝部３７ｂのうち他方の溝部３７ｂに挿入して、隣り合う二個の反射板３３を連結する。四個の連結部材３７によって四個の反射板３３を連結することによって、四個の連結部材３７と四個の反射板３３とは、下方から視て略正方形の枠状に構成される。
【００４７】
連結部材３７は、ＬＥＤモジュール３２の発光素子３２ａから照射される光を反射する光反射面を一部に備える。連結部材３７（片部３７ａ・３７ａ）の内側の面は光反射面として構成される。連結部材３７は、その光反射面が発光素子３２ａの光放射空間に対向する位置に配置される。
【００４８】
以上のように、連結部材３７は、複数の反射板３３のうちの隣り合う反射板３３の間に配置され、隣り合う反射板３３に連結される。したがって、照明器具１では、一枚の平板状の部材を折り曲げ加工して連結部材３７に相当する形状を有するものに比べて、反射板３３の成形を容易に行うことができる。
【００４９】
また以上のように、反射板３３および連結部材３７は、それらの光反射面が発光素子３２ａの光放射空間に対向する位置に配置される。このため、反射板３３の反射面と連結部材３７の反射面とで、発光素子３２ａから照射される光を反射することができる。したがって、連結部材３７を備える構成であっても反射斑が生じることを抑制することができる。
【００５０】
図６乃至図１１に示すように、連結部材３７は、突起部３７ｃを備える。突起部３７ｃは、連結部材３７の上端から上方に突出する。突起部３７ｃは、連結部材３７が反射板３３を連結した状態において、反射板３３の上端部３３ａの上面よりも上方に突出する。
【００５１】
支持部材３１は、複数個（四個）の孔３１ａを備える。孔３１ａは、支持部材３１の四隅の近傍に配置される。孔３１ａは、支持部材３１を貫通する。孔３１ａは、突起部３７ｃを挿入可能な内部寸法を有する。なお、孔３１ａは、貫通孔に限らず、凹状であってもよい。
【００５２】
支持部材３１に反射板３３を固定する作業では、まず、四個の連結部材３７と四個の反射板３３とを枠部材３５の上方に配置して、連結部材３７によって反射板３３を連結して、連結部材３７と反射板３３とを枠状に構成する。次に、連結部材３７および反射板３３の上方に、ＬＥＤモジュール３２が固定された支持部材３１を配置する。このとき、それぞれの挿入孔３１ａにそれぞれの突起部３７ｃをそれぞれ挿入して、支持部材３１によって連結部材３７と反射板３３とが枠状に構成される状態を保持する。そして、このように支持部材３１によって連結部材３７と反射板３３とが枠状に構成される状態を保持して、支持部材３１に反射板３３を固定する。
【００５３】
以上のように、複数個の連結部材３７が突起部３７ｃを備え、支持部材３１が複数個の孔３１ａを備え、支持部材３１に反射板３３を固定するときに、孔３１ａに突起部３７ｃを挿入して連結部材３７によって反射板３３を連結した状態を保持する。このため、照明器具１では、ネジ等を使用せずに複数個の連結部材３７と複数個の反射板３３とが枠状に構成される状態を保持して、支持部材３１に反射板３３を固定する作業を行うことができる。したがって、照明器具１によれば、部品点数を削減することができ、また、支持部材３１に反射板３３を固定する作業工数を削減することができる。
なお、本実施の形態では、ＬＥＤモジュール３２を支持部材３１に固定する構成としたが、支持部材３１を備えることは必須でない。例えば、ＬＥＤモジュール３２の回路基板で支持部材３１の役割を持たせることができれば、支持部材３１は不要である。
【符号の説明】
【００５４】
１    照明器具
１０  本体ケース
２０  電源ユニット
３０  光源ユニット
３１  支持部材
３２  ＬＥＤモジュール（光源）
３３  反射板
３４  拡散板
３５  枠部材
３６  取付部材
３７  連結部材
４０  シート部材
【図１】
2015076335.tif 000003
【図２】
2015076335.tif 000004
【図３】
2015076335.tif 000005
【図４】
2015076335.tif 000006
【図５】
2015076335.tif 000007
【図６】
2015076335.tif 000008
【図７】
2015076335.tif 000009
【図８】
2015076335.tif 000010
【図９】
2015076335.tif 000011
【図１０】
2015076335.tif 000012
【図１１】
2015076335.tif 000013